(57)【要約】物品を下着に対して保持するようにされた選択的に取り外し可能な相互係合ファスナを含む一対のウイングと、下着の布を係合するようにされた複数の係合部材を含むファスナ部品とを含む取り付けシステムを有する、下着と併せて着用される物品（例えば、生理用ナプキン、失禁用パッド又は同様なパーソナルケア製品）。望ましくは、取り付けシステムは、各々のウイングが固定端及び自由端を有する、生理用ナプキンの第１の縦方向縁から延びる第１ウイング及び物品の第２の縦方向縁から延びる第２ウイングと、該第１ウイング及び第２ウイングの少なくとも一部を構成し、複数の係合部材を有する係合部分を含む第１ファスナ部品と、第１ウイング及び第２ウイングの少なくとも一部を構成し、それぞれの部品を、取り付け方向にほぼ沿って共に動かし重なり合う相互係合構成にすることにより、該物品の該第１ウイング及び該第２ウイングを接合することができるようになった協働するファスナ部品とを含む。
2004538092.tif 000002
【特許請求の範囲】
【請求項１】
一対の端部縁と、前記端部縁の間に位置する第１の縦方向縁及び第２の縦方向縁と、裏面シート層と、実質的に液体透過性の上面シート層と、前記上面シート層と前記裏面シート層との間に配設された吸収体とを有する生理用ナプキンであって、
各々が固定端及び自由端を有する、前記生理用ナプキンの前記第１の縦方向縁から延びる第１ウイング及び前記生理用ナプキンの前記第２の縦方向縁から延びる第２ウイングと、
前記第１ウイング及び前記第２ウイングの少なくとも一部を構成し、複数の係合部材を有する係合部分を含む第１ファスナ部品と、
前記第１ウイング及び前記第２ウイングの少なくとも一部を構成する協働するファスナ部品とを備え、
それぞれの部品を、取り付け方向にほぼ沿って共に動かし重なり合う相互係合構成にすることにより、前記生理用ナプキンの第１及び第２ウイングを接合することができるようになっており、
重なり合いかつ相互係合するウイングが前記生理用ナプキンを下着に対して固定するように、前記第１ファスナ部品が前記第１ウイング及び前記第２ウイング上にあり、係合されていない第１ファスナ部品は、前記裏面シートと前記ウイングとの間に位置させられた下着の布と係合するように前記裏面シートに隣接して位置させられた、
選択的に取り外し可能な相互係合締結システムを含むことを特徴とする生理用ナプキン。
【請求項２】
前記第１ファスナ部品が複数の実質的に異方性の係合部材を有し、前記係合部分が実質的な最大係合軸を有し、前記第１ファスナ部品の実質的な最大係合軸が取り付け方向に対してほぼ直交するように方位付けられた請求項１に記載の生理用ナプキン。
【請求項３】
各々の実質的に異方性の係合部材が、末端領域をもったステム部分と、対応するステム部分の末端領域に配設された固定要素とを有する請求項２に記載の生理用ナプキン。
【請求項４】
前記協働するファスナ部品が不織ループ材料である請求項１に記載の生理用ナプキン。
【請求項５】
前記不織ループ材料がパターン・アンボンデッド材料である請求項４に記載の生理用ナプキン。
【請求項６】
前記物品を使い捨てに便利な構成で固定するように用いることができる請求項１に記載の生理用ナプキン。
【請求項７】
前記裏面シート層に衣料品取り付け接着剤をさらに備えた請求項１に記載の生理用ナプキン。
【請求項８】
前記第１及び第２ウイングの少なくとも１つが実質的に液体透過性である請求項１に記載の生理用ナプキン。
【請求項９】
前記第１及び第２ウイングの少なくとも１つが実質的に液体不透過性である請求項１に記載の生理用ナプキン。
【請求項１０】
一対の端部縁と、前記端部縁の間に位置する第１の縦方向縁及び第２の縦方向縁と、裏面シート層と、実質的に液体透過性の上面シート層と、前記上面シート層と前記裏面シート層との間に配設された吸収体とを有する生理用ナプキンのための複合取り付けシステムであって、
各々が固定端及び自由端を有する前記生理用ナプキンの前記第１の縦方向縁から延びる第１ウイング及び前記生理用ナプキンの前記第２の縦方向縁から延びる第２ウイングと、
前記第１ウイング及び前記第２ウイングの少なくとも一部を構成し、複数の係合部材を有する係合部分を含む第１ファスナ部品と、
前記第１ウイング及び前記第２ウイングの少なくとも一部を構成する協働するファスナ部品とを備え、
それぞれの部品を、取り付け方向にほぼ沿って共に動かし重なり合う相互係合構成にすることにより、前記生理用ナプキンの第１及び第２ウイングを接合することができるようになっており、
重なり合いかつ相互係合するウイングが前記生理用ナプキンを下着に対して固定するように、前記第１ファスナ部品が前記第１ウイング及び前記第２ウイング上にあり、さらに第１ファスナ部品の係合されていない部分が、前記裏面シートと前記ウイングとの間に位置させられた下着の布と係合するように前記裏面シートに隣接して位置させられる、
ことを特徴とする選択的に取り外し可能な相互係合締結システムを含む複合取り付けシステム。
【請求項１１】
前記第１ファスナ部品が複数の実質的に異方性の係合部材を有し、前記係合部分が実質的な最大係合軸を有し、前記第１ファスナ部品の実質的な最大係合軸が取り付け方向に対してほぼ直交するように方位付けられた請求項１０に記載の複合取り付けシステム。
【請求項１２】
各々の実質的に異方性の係合部材が、末端領域をもったステム部分と、対応するステム部分の末端領域に配設された固定要素とを有する請求項１１に記載の複合取り付けシステム。
【請求項１３】
前記協働するファスナ部品が不織ループ材料である請求項１０に記載の複合取り付けシステム。
【請求項１４】
前記不織ループ材料がパターン・アンボンデッド材料である請求項１３に記載の複合取り付けシステム。
【請求項１５】
前記物品を使い捨てに便利な構成で固定するように用いることができる請求項１０に記載の複合取り付けシステム。
【請求項１６】
前記裏面シート層に衣料品取り付け接着剤をさらに備えた請求項１０に記載の複合取り付けシステム。
【請求項１７】
一対の端部縁と、前記端部縁の間に位置する第１の縦方向縁及び第２の縦方向縁と、裏面シート層と、実質的に液体透過性の上面シート層と、前記上面シート層と前記裏面シート層との間に配設された吸収体とを有する生理用ナプキンであって、
各々が固定端及び自由端を有する前記生理用ナプキンの前記第１の縦方向縁から延びる第１ウイング及び前記生理用ナプキンの前記第２の縦方向縁から延びる第２ウイングと、
前記第１ウイング及び前記第２ウイングの底面の少なくとも一部を構成し、複数の係合部材を有する係合部分を含む第１ファスナ部品と、
前記第１ウイング及び前記第２ウイングの上面の少なくとも一部を構成する協働するファスナ部品とを備え、
それぞれのウイングの上面及び底面を重なり合う構成にすることにより前記第１及び第２ウイングが相互係合できるようになっており、
相互係合するウイングが前記生理用ナプキンを下着に対して固定するようにされ、第１ファスナ部品の係合されていない部分は、前記裏面シートと前記ウイングとの間に位置させられた下着の布を係合するようにされるように前記裏面シートに隣接して位置させられる、
ことを特徴とする複合取り付けシステムを含む生理用ナプキン。
【請求項１８】
前記生理用ナプキンの前記ウイングを、取り付け方向にほぼ沿って一緒に動かし、重なり合う構成にすることができる請求項１７に記載の生理用ナプキン。
【請求項１９】
前記第１ファスナ部品が複数の実質的に異方性の係合部材を有し、前記係合部分が実質的な最大係合軸を有する請求項１７に記載の生理用ナプキン。
【請求項２０】
前記第１ファスナ部品の実質的な最大係合軸が取り付け方向に対してほぼ直交するように方位付けられた請求項１９に記載の生理用ナプキン。
【請求項２１】
各々の実質的に異方性の係合部材が、末端領域をもったステム部分と、対応するステム部分の末端領域に配設された固定要素とを有する請求項１９に記載の生理用ナプキン。
【請求項２２】
前記協働するファスナ部品が不織ループ材料である請求項１７に記載の生理用ナプキン。
【請求項２３】
前記不織ループ材料がパターン・アンボンデッド材料である請求項２２に記載の生理用ナプキン。
【請求項２４】
前記物品を使い捨てに便利な構成で固定するように用いることができる請求項１７に記載の生理用ナプキン。
【請求項２５】
前記裏面シート層に衣料品取り付け接着剤をさらに備えた請求項１７に記載の生理用ナプキン。
【請求項２６】
少なくとも１つのウイングがその固定端に隣接して切り取り線を含み、前記切り取り線に沿って前記ウイングを引き裂くことにより、前記ナプキンの迅速な除去がもたらされるようになった請求項１７に記載の生理用ナプキン。
【請求項２７】
一対の端部縁と、前記端部縁の間に位置する第１の縦方向縁及び第２の縦方向縁と、裏面シート層と、実質的に液体透過性の上面シート層と、前記上面シート層と前記裏面シート層との間に配設された吸収体とを有する生理用ナプキンであって、
前記生理用ナプキンが、各々が前記生理用ナプキンの縦方向縁から延び、固定端及び自由端を有する一対のウイングをさらに含み、各々のウイングが、
前記ウイングの下方表面に、複数の係合部材を有する係合部分を含む第１ファスナ部品と、
前記ウイングの上方表面に協働するファスナ部品と、
を備え、
それぞれのウイングの前記上方及び下方表面を、重なり合う相互係合構成にすることにより、前記生理用ナプキンの前記ウイングを接合することができるようになっており、
前記相互係合されたウイングは前記生理用ナプキンを下着に固定するようにされており、裏面シートに隣接する係合されていない第１ファスナ部品の部分は前記裏面シートと前記ウイングとの間に位置させられた下着の布と係合するようにされることを特徴とする生理用ナプキン。
【請求項２８】
選択的に取り外し可能な相互係合ファスナを含み、生理用ナプキンを下着に対して保持するようにされた一対のウイングと、
前記下着の布を係合するようにされた複数の係合部材を含むファスナ部品と、
を備えることを特徴とする取り付けシステムを含む生理用ナプキン。
【発明の詳細な説明】
【０００１】
（技術分野）
本発明は、衣料品その他の物品のための締結システムに関する。より具体的には、本発明は、ガウン、おむつ、失禁用衣料品等のような使い捨て物品と併せて用いることができるインターロック式機械的締結システムに関する。
【０００２】
（背景技術）
生理用ナプキン、失禁用パッド等のような吸収性パーソナルケア物品を下着に固定して、使用中に該物品を適切な位置に保持することができる。これらの物品は、多くの場合、ウイング又はフラップ、並びに、衣料品取り付け接着剤を該物品の衣料品に面する側に用いて、該物品は下着に固定されるようにする。ウイング又はフラップは、典型的には、該ウイング又はフラップの端部を下着に固定するために接着剤を用いる。
【０００３】
ウイング／フラップ及び衣料品取り付け接着剤の組み合わせを用いてさえも、ユーザは、物品を適所に維持するにおいて困難に遭遇することがある。この問題は、ユーザが身体的に活動状態である場合、又は熱、湿気、及び／又は湿度が物品を固定するのに用いられた接着剤を弱める場合に、特に明らかになる。
【０００４】
ベルト、スナップ又はそれに類するもののような異なる種類の取り付けシステムが周知であるが、これらのシステムは、物品の費用及び複雑さに拍車をかけ、並びに、ユーザが吸収性部品を取り付けるか又は利用する際の難しさを増加させる。
【０００５】
（発明の開示）
本発明は、下着と併せて着用される物品（例えば生理用ナプキン、失禁用パッド、又は同様なパーソナルケア製品）を提供することにより上術の問題に対処するものであり、該物品は、
選択的に取り外し可能な相互係合ファスナを含み、該物品を下着に対して保持するようにされた一対のウイングと、
該下着の布を係合するようにされた複数の係合部材を含むファスナ部品と、
を含む取り付けシステムを有する。
【０００６】
一般に、この取り付けシステムは、
各々が固定端及び自由端を有する、生理用ナプキンの第１の縦方向縁から延びる第１ウイング及び物品の前記第２の縦方向縁から延びる第２ウイングと、
該第１のウイング及び該第２のウイングの少なくとも一部を構成し、複数の係合部材を有する係合部分を含む第１ファスナ部品と、
該第１ウイング及び該第２ウイングの少なくとも一部を構成し、複数の係合部材を有する係合部分を含む第１ファスナ部品と、該第１ウイング及び該第２ウイングの少なくとも一部を構成し、それぞれの部品を、取り付け方向にほぼ沿って共に動かし重なり合う相互係合構成にすることにより、該物品の該第１ウイング及び該第２ウイングを接合することができるようになった協働するファスナ部品と、
を含む。
【０００７】
重要なことには、重なり合いかつ相互係合するウイングが該生理用ナプキンを下着に対して固定するように、該第１ファスナ部品が該第１ウイング及び該第２ウイング上に構成され、第１ファスナ部品の係合されていない部分は、裏面シートとウイングとの間に位置させられた下着の布を係合するように該裏面シートに隣接して位置させられる。第１ファスナ部品のこの係合されていない部分は、裏面シートとウイングとの間に下着がない場合には、該裏面シートに隣接して配置されるか又は位置させられることになる。
【０００８】
第１ファスナ部品は複数の係合部材（フック要素とも呼ばれる）を有する。望ましくは、第１ファスナ部品が複数の実質的に異方性の係合部材を有し、係合部分が実質的な最大係合軸を有し、該第１ファスナ部品の実質的な最大係合軸が取り付け方向に対してほぼ直交するように方位付けられる。
【０００９】
本発明の一態様によると、各々の実質的に異方性の係合部材が、末端領域をもったステム部分と、対応するステム部分の末端領域に配設された固定要素とを有する。
【００１０】
協働するファスナ部品はループ材料である。望ましくは、ループ材料は不織ループ材料である。より望ましくは、不織ループ材料はパターン・アンボンデッド材料である。例えば、不織ループ材料は、例えば、米国特許第５，８５８，５１５号及び／又は第５，７６３，０４１号に述べられる材料のようなパターン・アンボンデッド材料とすることができ、その内容は引用によりここに組み入れられる。
【００１１】
本発明の一実施形態においては、この締結システムは、使い捨てに便利な構成で固定するように用いることができる
【００１２】
物品は、例えば、衣料品取り付け接着剤といった付加的な締結特徴を裏面シート層に含むことができる。
【００１３】
本発明の一実施形態は、
選択的に取り外し可能な相互係合ファスナを含み、生理用ナプキンを下着に対して保持するようにされた一対のウイングと、
該下着の布を係合するようにされた複数の係合部材を含むファスナ部品と、
を含む取り付けシステムを有する生理用ナプキンに向けられている。
【００１４】
一般に、生理用ナプキンは、一対の端部縁と、該端部縁の間に位置する第１の縦方向縁及び第２の縦方向縁と、裏面シート層と、実質的に液体透過性の上面シート層と、該上面シート層と該裏面シート層との間に配設された吸収体とを有する。複合取り付けシステムは、
各々が固定端及び自由端を有する、生理用ナプキンの第１の縦方向縁から延びる第１ウイング及び物品の第２の縦方向縁から延びる第２ウイングと、
該第１のウイング及び該第２のウイングの少なくとも一部を構成し、複数の係合部材を有する係合部分を含む第１ファスナ部品と、
該第１ウイング及び該第２ウイングの少なくとも一部を構成し、複数の係合部材を有する係合部分を含む第１ファスナ部品と、該第１ウイング及び該第２ウイングの少なくとも一部を構成し、それぞれの部品を、取り付け方向にほぼ沿って共に動かし重なり合う相互係合構成にすることにより、該物品の該第１ウイング及び該第２ウイングを接合することができるようになった協働するファスナ部品と、
を含む選択的に取り外し可能な相互係合締結システムである。
【００１５】
重なり合いかつ相互係合するウイングが生理用ナプキンを下着に対して固定するように、第１ファスナ部品が第１ウイング及び第２ウイング上に構成され、第１ファスナ部品の係合されていない部分は、裏面シートとウイングとの間に位置させられた下着の布を係合するように該裏面シートに隣接して位置させられる。
【００１６】
本発明の別の実施形態は、一対の端部縁と、該端部縁の間に位置する第１の縦方向縁及び第２の縦方向縁と、裏面シート層と、実質的に液体透過性の上面シート層と、該上面シート層と該裏面シート層との間に配設された吸収体とを有する生理用ナプキンに関し、該生理用ナプキンは、
各々が固定端及び自由端を有する該生理用ナプキンの該第１の縦方向縁から延びる第１ウイング及び該生理用ナプキンの第２の縦方向縁から延びる第２ウイングと、
該第１ウイング及び該第２ウイングの底面の少なくとも一部を含み、複数の係合部材を有する係合部分を含む第１ファスナ部品と、
該第１ウイング及び該第２ウイングの上面の少なくとも一部を含む協働するファスナ部品とを含み、それぞれのウイングの上面及び底面を重なり合う構成にすることにより該第１及び第２ウイングが相互係合できるようになった、
複合取り付けシステムを有する。
【００１７】
一般に、生理用ナプキンのウイングをほぼ取り付け方向に沿って共に動かし、重なり合う構成にすることができる。第１ファスナ部品は複数の実質的に異方性の係合部材を有し、係合部分が実質的な最大係合軸を有するようにすることが望ましい。第１ファスナ部品の実質的な最大係合軸が取り付け方向に対してほぼ直交するように方位付けられることがさらに望ましい。
【００１８】
望ましくは、協働するファスナ部品は不織ループ材料である。より望ましくは、不織ループ材料はパターン・アンボンデッド材料である。
【００１９】
本発明の一実施形態においては、この取り付けシステムは、使い捨てに便利な構成で生理用ナプキンを固定するように用いることができる。
【００２０】
生理用ナプキンは、さらに、裏面シート層上に衣料品取り付け接着剤を含むことができる。さらに、取り付け用の少なくとも１つのウイングが、その固定端に隣接して切り取り線を含み、該切り取り線に沿って該ウイングを引き裂きことにより、該ナプキンの迅速な除去がもたらされるようにすることが意図される。
【００２１】
本発明の一実施形態は、一対の端部縁と、該端部縁の間に配置された第１の縦方向縁及び第２の縦方向縁と、裏面シート層と、実質的に液体透過性の上面シート層と、前記上面シート層と前記裏面シート層との間に配設された吸収体とを有する生理用ナプキンを包含し、
該生理用ナプキンが、各々が該生理用ナプキンの縦方向縁から延び、固定端及び自由端を有する一対のウイングをさらに含み、各々のウイングは、
該ウイングの下方表面に、複数の係合部材を有する係合部分を含む第１ファスナ部品と、
該ウイングの上方表面に協働するファスナ部品と、
を備え、それぞれのウイングの該上方及び下方表面を、重なり合う相互係合構成にすることにより、該生理用ナプキンの前記ウイングを接合することができるようになっており、
該相互係合されたウイングは該生理用ナプキンを下着に固定するようにされており、裏面シートに隣接する第１ファスナ部品の係合されていない部分は該裏面シートと該ウイングとの間に位置させられた下着の布を係合するようにされるものである。
【００２２】
（発明を実施するための最良の形態）
本発明は、本発明の以下の詳細な説明と図面とを参照したときに、より十分に理解され、さらに別の利点が明らかとなるであろう。
【００２３】
ここで用いられる「不織」布又はウェブという用語は、相互に織り込まれているが識別可能な繰り返されるパターンになっていない個々の繊維又は糸の構造を持つウェブのことを意味する。不織ウェブは、これまで、例えばメルトブロー工程、スパンボンド工程、及びボンデッドカーデッド工程のような多くの工程から形成されてきた。
【００２４】
ここで用いられる「スパンボンドウェブ」という用語は、溶融した熱可塑性材料を、紡糸口金の複数の微細な普通は円形の毛細管からフィラメントとして押し出し、次いで、押し出されたフィラメントの直径を、例えば、流体を引き出すことにより又は他の周知のスパンボンド機構によって急速に縮小されることにより形成されるウェブのことを言う。スパンボンドの不織ウェブの生成は、アッペル他の米国特許第４，３４０，５６３号のような特許に示されている。
【００２５】
本発明の種々の態様及び実施形態は、生理用ナプキン又は使い捨て失禁用物品のような使い捨て吸収性物品に関連して説明される。しかしながら、本発明はさらに、例えば下着のような衣料品に固定される、キャップ、ガウン、カバーなどといった接触することになる他の物品と併せて用いることができることが明らかであろう。典型的には、使い捨て物品は、限られた使用が意図されており、再使用するために洗濯されるか又は別の方法により洗浄されるようには意図されていない。例えば、生理用ナプキンは、着用者によって汚された後に廃棄される。
【００２６】
図面を参照すると、図１Ａないし図１Ｄに示される生理用ナプキン１０のような物品は、前後の縦方向２６、左右の横方向２４、及び縦方向に延びる中心線４０を有する。物品は、第１物品部分、第２物品部分、及び該第１物品部分を該第２物品部分に固定するための少なくとも１つのファスナ３６を含む。このような固定部は、例えば、これにより物品が着用者に保持されるように構成することができる。ファスナは、第１及び第２の物品部分の指定された部分に取り付けられた少なくとも１つの第１ファスナ部品７０と、該第１及び第２の物品部分に取り付けられるか又は該物品部分と一体化された協働するファスナ部品７２とを含む。第１ファスナ部品７０は、複数の第１係合部材５６を有する係合部分を含む。各々の係合部材５６が、末端領域４４をもつステム部分５８を有し、この対応する末端領域には、少なくとも１つの固定要素６０が配設されている。複数の係合部材が、その固定要素について配置パターンを有する。各々が異なる配置パターンの固定要素をもつ多数の複数の係合部材を用いることができると考えられている。
【００２７】
本発明の別の態様は、ファスナ部品が複数の異方性係合部材を有する係合部分を含むことができる物品を提供することができる。各々の異方性係合部材は、末端部分４４をもつステム部分５８と、方向依存型固定要素６０とを有することができ、この方向依存型固定要素６０は、その対応するステム部分５８の末端領域に異方的に配設されて、異方性係合開口部を形成する。複数の異方性係合部材は、その係合開口部について配列パターンを有することができる。多数の複数の異方性係合部材を用いることができ、しかも、異なる配列パターンの係合開口部も可能であることが意図される。
【００２８】
特定の構成においては、複数の異方性係合部材の大部分は、その係合開口部が取り付け方向に対してほぼ直角に向けられている。一般に、取り付け方向は、物品の第１の部分及び第２の部分のそれぞれが、互いに重なり合い相互係合する関係になる方向である。従って、図１及び図２において、取り付け方向は、全体として、物品の横方向２４に沿い、かつ中心線４０の方向に向けられた横方向のベクトル成分を有する方向である。従って、複数の異方性係合部材は、その係合開口部が物品の中心線４０とほぼ平行に向けられていることになる。
【００２９】
本発明の種々の態様においては、個々の係合部材は、典型的には可撓性及び弾性があるが、通常の使用においてはその初期形状を実質的に保持するものである。通常の使用において曲げられたか又は変形させられた場合には、係合部材は、その変形を持続するように実質的に可塑的に変形することを避け、その代わりに、実質的にその元の方位及び形状に戻るか又は「スプリングバック」を起こすことになる。
【００３０】
本発明の（個々の及び組み合わせによる）種々の態様は、物品が着用者により着用されたときに、該物品の望ましい着用状態及び位置を良好に維持できるように役立つという利点を有する。本発明の締結システムの種々の態様を組み入れることで、物品が下着と共に着用された時の位置ずれに対してより大きな抵抗性をもった物品の改善された固定部を提供することができる。所定の位置に留まることにより、締結システムはさらに、着用状態の改善、快適性の向上、及び着用者の皮膚に対する刺激の低減を提供する助けともなる。
【００３１】
本発明による物品は、例えば、生理用ナプキン又は失禁用物品といった吸収性物品とすることができる。
【００３２】
図１Ａは、ウイング又はフラップの形態のファスナ３６をもった例示的な生理用ナプキンを示すものである。少なくとも１つの第１ファスナ部品７０が第１のウイング３６及び第２のウイング３６´に取り付けられており、少なくとも１つの協働するファスナ部品７２が、該第１のウイング３０及び第２のウイング３６´に取り付けられるか又はこれと一体である。重要なことには、第１ファスナ部品７０及び協働するファスナ部品７２を各々のウイングに取り付けて、該ウイングを、何らかの特定の順番によってウイングを重ね合わせるという懸念なしで締結することができるようにすることができる。
【００３３】
幾つかの実施形態においては、ウイングを、協働するファスナ部品７２により部分的に又は全体的に形成することができる。図１Ｃは、ウイング３６又はフラップが下着又はパンティ「Ｐ」に固定された状態の生理用ナプキンを示すものである。「Ａ」と表示が付された矢印は、全体的にほぼ取り付け方向を表わす。「Ｏ」と表示が付された矢印は、全体的に取り付け方向と直交する方向を表わす。この直交する方向は、全体的に又は実質的に物品の平面に沿うか又は該平面内にあると考えられるが、幾つかの特定の場合においては、小さなＺ軸方向成分を含むことを理解されたい。
【００３４】
本発明の或る実施形態によると、第１ファスナ部品は、最大係合軸を有するように構成することができる。これは、異方性（すなわち非等方性）又は非対称的な複数の係合部材５６を利用することにより達成することができる。第１ファスナ部品の最大係合軸が、取り付け方向（すなわち、重なり合う係合がもたらされるように各々のファスナ部品が全体的に合わされる方向）とほぼ直交するように方位付けられている場合には、この製品が着用されることでこの締結システムがさらに相互係合されるようになることが思いがけなく見出された。例えば、この物品を着用する前に標準的な試験手順を利用して求められた剥離力及び剪断力は、第１ファスナ部品の最大係合軸が取り付け方向に方位付けられている締結システムの場合の方が大きく、該第１ファスナ部品の最大係合軸が取り付け方向と直交して方位付けられている締結システムの場合の方が小さい。
【００３５】
使用後に剥離力及び剪断力を測定すると、その値は両方の方位について増加していた。しかしながら、第１ファスナ部品の最大係合軸が取り付け方向に対して直交して方位付けられている締結システムについて測定された剥離力値及び剪断力値は、第１ファスナ部品の最大係合軸が取り付け方向に方位付けられている締結システムについて測定されたものよりも大きかった。
【００３６】
この結果を示すデータは図３Ａないし図３Ｂにグラフを用いて示され、実施例部分の表１に含まれている。
【００３７】
以下は、図１Ａ及び図１Ｄに示される前後の縦方向２６及び左右の横方向に対する方位方向についての簡単な説明である。１つの例示的な生理用ナプキンにおいて、第１ファスナ部品の最大係合軸を取り付け方向に方位付けることは、その最大係合軸が図１Ａ及び図１Ｄに示される幅方向又は左右の横方向２４にあったように、該第１ファスナ部品を方位付けることを意味する。従って、その生理用ナプキンについては、第１ファスナ部品の最大係合軸を取り付け方向に対してほぼ直交するように方位付けることは、その最大係合軸が図１Ａ及び図１Ｄに示される機械方向又は前後の縦方向２６にあったように、該第１ファスナ部品を方位付けることを意味する。
【００３８】
本発明の１つの特徴は、複合締結システム又は二次的取り付けシステムの一部を示す図１Ｅから明らかである。図１Ｅは、各々が、物品のバッフル又は剥離ストリップに面するようにウイングに付着された第１ファスナ部品７０、並びに該ウイングの反対側（すなわち、バッフル又は剥離ストリップから離れる方向に面するウイングの側）に面するようにウイングに付着されるか又はこれと一体化された協働するファスナ部品７２を有する一対のウイング又はフラップ３６を示すものである。
【００３９】
物品のウイングが、図１Ｃにおいて全体として、及び図１Ｆにおいては断面図で示されるように下着の股部分の周りに固定されると、該ウイングは生理用ナプキン又は失禁用パッド（又は同様の物品）を下着に対して保持するか、固定するか、取り付けるか、又は接合するようにされる。さらに、複数の係合部材を含む第１ファスナ部品が下着の布に対して直接与えられて、これらもまた、生理用ナプキン又は失禁用パッド（又は同様の物品）を下着に対して保持するか、固定するか、取り付けるか、又は接合するようにされることになる。
【００４０】
より具体的には、図１Ｆは、協働するファスナ部品７２から形成することができるファスナ又はウイング３６が第１ファスナ部品７０との接触により係合されるシステムを示す。物品１０の裏面シート側すなわち衣料品側の衣料品接着剤「ＧＡ」のストリップは、該物品を下着「Ｐ」に固定するのを助けることができる。さらに、第１ファスナ部品７０’が下着「Ｐ」の布を係合する位置にある一方で、ファスナ又はウイング３６は、該下着の周りを包み込むことによって、物品を該下着「Ｐ」に固定するか又は接合する。
【００４１】
図１Ａないし図１Ｆに示す代表的な構成を参照すると、物品は、フラップ領域、ウイング、「耳」領域、すなわち耳部材のシステムを含むことができる。特定の構成においては、各々のフラップ、ウイング、又は耳領域すなわち耳部材は、失禁用パッド又は生理用ナプキンのような物品の対向する横方向端部において横方向に延びることができる。
【００４２】
本発明の種々の構成において、耳、タブ、フラップ又はウイング領域は、選択された物品の部品と一体化形成することができる。例えば、耳、タブ、フラップ又はウイング領域は、裏面シート層を形成する材料層で一体形成することもでき、及び／又は上面シートを形成するために使用される材料で一体形成することもできる。代替的な構成においては、耳、タブ、フラップ又はウイング領域は、裏面シート、上面シート、該裏面シートと該上面シートとの間、又はこのような組立体の固定的に取り付けられた種々の組み合わせに、連結されるか組み立てられる１つ又はそれ以上の別々に設けられた部材によって形成することができる。
【００４３】
本発明の特定の構成においては、耳、タブ、フラップ又はウイング領域の各々は、別々に準備された材料片から形成されてもよく、次に、この材料片が、適切に組み立てられ、物品の選択された部分に取り付けられる。
【００４４】
耳、タブ、フラップ又はウイング領域は、ポリマーフィルム、織布、不織布又はそれに類するもの、並びにこれらの組み合わせのような実質的に非弾性の材料で構成することができる。本発明の特定の態様においては、耳、タブ、フラップ又はウイング領域は、少なくとも横方向２４に沿って弾性的に伸張可能な、延伸結合ラミネート（ＳＢＬ）材料、ネック結合ラミネート（ＮＢＬ）材料、弾性フィルム、弾性発泡体材料、又はそれに類するもののような実質的に弾性的な材料から構成することができる。例えば、耳、タブ、フラップ又はウイング領域を形成するのに適したメルトブローン弾性繊維状ウェブが、１９８７年５月５日にＴ．ワイズネスキー他に付与された米国特許第４，６６３，２２０号に記載されており、この開示全体が引用により本明細書に組み入れられている。繊維弾性層に固定された少なくとも一層の不織布を含む複合繊維の例は、Ｊ．Ｔａｙｌｏｒ他を発明者とする１９８７年４月８日に発行された欧州公開特許ＥＰ０２１７０３２Ａ２に記載されており、この開示全体が引用により本明細書に組み入れられている。ＮＢＬ材料の例は、１９９３年７月１３日にモーモンに付与された米国特許第５，２２６，９９２号に開示されており、この開示全体が、本明細書と一致するように引用により本明細書に組み入れられている。
【００４５】
先に述べたように、種々の好適な構成を用いて、耳、タブ、フラップ又はウイング領域を物品の選択された部分に取り付けることができる。一対の弾性的に伸張可能な部材を物品の横方向の側部に固定して、物品の外側カバー及び直線部品の横方向に対向する側部領域を超えて横方向外向きに延びるようにするのに適する構造の特定の例は、１９９０年７月３日にＰ．ＶａｎＧｏｍｐｅｌ他に付与された米国特許第４，９３８，７５３号に見出すことができ、この開示全体が、本明細書において、本明細書に一致するように引用により組み入れられている。
【００４６】
図示される耳、タブ、フラップ又はウイング領域は、先細になった、湾曲した、又は別の方法により、相対的に内側のベース領域についての縦方向の長さが、その相対的に外側の端部領域についての縦方向の長さよりも大きいか又は小さく形付けられた形状を有するようにされる。或いは、耳領域は、ほぼ長方形の形状を有してもよく、任意に、ほぼ台形形状を有してもよい。
【００４７】
本発明の種々の態様及び構成においては、選択された第１ファスナ部品と選択された協働する部品との間の締結機構は、接着剤、粘着剤、機械的又はこれらの組み合わせとすることができる。本発明においては、機械的締結システムは、第１ファスナ部品と、協働するファスナ部品とを含み、それらが機械的に相互係合して望ましい固定部を提供するようになるシステムである。
【００４８】
第１ファスナ部品と第２ファスナ部品は、協働的に相互係合する機械的締結システムの相補的な要素を含むことが望ましい。機械的ファスナ部品は、協働して機械的にインターロックする相補的な部品を含むフック、バックル、スナップ、ボタン等といった機械式のファスナによって構成することができる。
【００４９】
図示された構成において示されるように、例えば、機械的締結システムは、フック・ループ式の締結システムとすることができる。このような締結システムは、典型的には、「フック」、すなわち、フック状の雄部品の形状を有する係合部材を含み、かつ協働する「ループ」、すなわち、ループ状の雌部品を備え、該ループ部品は該フック部品と係合しかつ取り外し可能に相互連結する。相互連結部は、選択的に取り外し可能でありかつ再び取り付け可能であることが望ましい。従来のシステムは、例えば、ＶＥＬＣＲＯという商標の下で入手可能である。フック要素は、単一プロングのフック形状、多プロングのフック形状、又はマッシュルーム・ヘッド式のフック要素によって形成されるもののような実質的に連続した拡張ヘッド形状によって形成することができる。ループ要素は、織布、不織布、編み地、穴開き層又は穿孔層等、並びにこれらの組み合わせによって形成することができる。このようなファスナシステムの多くの構成及び変形物が、総称してフック・ループ式ファスナと呼ばれてきた。
【００５０】
選択的に取り外すことができる相互係合機械的締結システムは、例えば、第１ファスナ部品を、少なくともファスナ・タブ、フラップ又はウイング３６の指定された嵌合面又は固定面に設置することができ、協働するファスナ部品を、指定されたタブ、フラップ又はウイング３６の指定された係合面に設置することができる。例えば、代表的に図示するフック・ループ式ファスナにおいては、ファスナ・タブ３６の指定された嵌合面又は固定面に取り付けられる締結部品は、フック形式の機械的係合要素を含むことができ、また、指定されたファスナ・タブ３６の表面に作動可能に接合され取り付けられる相補的締結部品は、ループ形式の締結要素を含むことができる。
【００５１】
本発明の種々の構成においては、第１の締結部品７０と、協働的かつ相補的な締結部品７２との相対的な位置及び／又は材料は、相互に入れ換え可能であることも明白である。
【００５２】
フック・ループ式締結システム及び部品の例は、１９９１年５月２８日にＴ．ロエスラー他に付与された米国特許第５，０１９，０７３号に記載されており、この開示全体が、本明細書と一致するように本明細書に組み入れられている。フック・ループ式締結システムの他の例は、米国特許第５，６０５，７３５号に対応する、１９９４年１２月２８日にＧ．シェーナー他によって出願された１９９４年１２月２８日にＧ．シェーナー他によって出願された易剥離性タブファスナ」という名称の米国特許出願第３６６，０８０号（代理人整理番号第１１，５７１番）、及び１９９５年４月１３日にＰ．バン・ゴンペル他によって出願された「多重取り付け締結システム」という名称の米国特許出願第４２１，６４０号に記載されており、この開示全体が、本明細書と一致するように本明細書に組み入れられている。キャリア層を用いて構成された締結タブの例は、１９９７年４月２９日に発行された米国特許第５，６２４，４２９号に対応する、「グリップタブを有する機械的締結システム」という名称で、１９９６年３月６日に出願されたＡ．ロング他の米国特許出願第０８／６０３，４７７号（代理人整理番号第１２，５６３番）に記載されており、この開示全体が、本明細書と一致するように本明細書に組み入れられている。
【００５３】
図２Ａないし図２Ｅを参照すると、指定された第１ファスナ部品７０は、ベース又は基板層１１０から離れる方向に突出する係合部材（例えば、図示されるフック部材）を有する材料を含むことができる。各々の係合部材が、全体的に直立したステム部分５８と、固定要素６０とを含む。ステム部分５８は、固定端領域４３、及びこの固定端領域と連続して接合することが望ましい末端領域４４を有する。ステム部分の固定端領域は、基板層１１０に作動可能に取り付けられ、末端領域は、この対応する、関連付けられた固定要素６０に作動可能に取り付けられている。ステム部分５８は、ファスナシステムの第１ファスナ部品における通常の作動中に、固定要素６０についての指定された直立した位置及び指定された方向の配列を維持するのに十分なだけ剛性がある。より具体的には、ステム部分は、固定要素についての所望の直立した位置及び方向の配列を作動可能に維持するのに十分なだけ曲げ及びねじれに対して抵抗性を有する。基板層１１０は、基板厚さ１１２、係合部材表面１１４、及び対向する基板取り付け表面１１６を有する。選択された係合部材は、基板層１１０に取り付けられ、係合部材表面１１４から離れる方向に突出する。
【００５４】
図２Ａないし図２Ｅに代表的に示されるように、本発明の特定の態様は、異方性係合部材が協働するファスナ部品７２と方向性のあるすなわち方向依存型係合を与えるように構成されている異方性係合部材を組み込むことができる。特に、係合部材は、剥離力、剪断力又はそれに類するもののような選択された締結特性が相対的な異なる値を有する少なくとも１つの偏向方向を示すことがある。例えば、締結特性は、剥離力、剪断力又はそれに類するもののような締結特性が相対的に最大の値となる少なくとも１つの偏向方向有することができる。同様に、係合部材は、選択された締結特性が相対的に最小の値となる少なくとも１つの偏向方向を示すこともある。最大値の方向は、相対的に最小の値の方向とほぼ反対方向でもよいし反対方向でなくてもよい。
【００５５】
従って、異方性係合部材は、剪断力の値又は剥離力の値が求められる方向によって、より大きい（又はより小さい）剪断力の値又は剥離力の値を与えることができる。異方性の特徴は、形状、寸法、外形、突起の長さ、突起の角度、材料の種類、被覆の種類その他の処理の種類、表面の質感、表面の形態、摩擦係数、粘着性、又はそれに類するもの、並びにこれらの組み合わせにおける違いのような種々の好適な機構によって生成することができる。異方性係合部材は、左右相称のような限定された度合いの相称性を有することができる。好適な異方性係合部材は、例えば、逆Ｊ字形又は全体的にＴ字形の係合部材によって形成することができる。これとは対照的に、実質的に等方性の係合部材は、マッシュルーム・ヘッド形の頭部が直立したステム部分の周りにほぼ対称的に分布され、同様に、指定された係合開口部が、該直立したステム部分の周りにほぼ対称的に分布しているマッシュルーム・ヘッド形の係合部材によって形成することができる。
【００５６】
好適な微小フック材料の例は、ＶＥＬＣＲＯ  ＨＴＨ  ８２９及びＶＥＬＣＲＯ  ＨＴＨ  ８５１という名称のもとで販売されており、ニューハンプシャー州マンチェスターに事務所をＶＥＬＣＲＯ  Ｕ．Ｓ．Ａ．社から入手可能である。マイクロフック材料は、角度が付けられたフック要素の形状のフックを有することができ、１平方センチメートル当たり約２６４フック（１平方インチ当たり約１７００フック）のフック密度、約０．０３０ｃｍから約０．０６３ｃｍまで（約０．０１２インチから約０．０２５インチまで）の範囲内のフック高さ、及び約０．００７ｃｍから約０．０２２ｃｍまで（約０．００３インチから約０．００９インチまで）の範囲内にあるフック幅をもつように構成することができる。フック要素は、約０．００７６ｃｍから約０．００８ｃｍまで（約０．００３インチから０．００３５インチまで）の厚さを有するベース層基板上に成形され、フック材料の部材は、約１２ｍｇｆ（約１２ガーレイ単位）のガーレイ剛性を有する。他の好適なフック材料は、ＶＥＬＣＲＯ  ＨＴＨ  ８５８、ＶＥＬＣＲＯ  ＨＴＨ  ８５１及びＶＥＬＣＲＯ  ＨＴＨ  ８６３のフック材料を含むことができる。
【００５７】
フック材料は、剛性レベルの低い可撓性のテープ又はストリップの形態であることが望ましい。このことは、フック材料が、取り付けられるべき可撓性のウイング材料及び機械的に係合されるべきループ材料と併せて屈曲することを可能にするという利点をもたらす。このことはさらに、下着の布に隣接するフック材料が該下着と共に屈曲し折れ曲がって、係合が増強されるようにし、かつ物品の着用者に対して不快感の原因となりうる剛性部品を回避できるようにする。
【００５８】
本発明の目的においては、種々の剛性値は、試験される部品の長さ及び幅によって実質的に定められる平面に対して垂直方向の応力により生じる曲げモーメントについて求められるものである。ここに説明される剛性値を求めるのに適した技術は、ガーレイ剛性試験であり、この説明は、ＴＡＰＰＩ標準試験Ｔ５４３ｏｍ−９４（紙の曲げ抵抗（ガーレイ型試験器））に示されている。適な試験装置は、ニューヨーク州トロイに事務所があるテレダイン・ガーレイ社によって製造されたガーレイデジタル剛性試験器、４１７１−Ｄ型である。本明細書の記載においては、前述のガーレイ剛性値は、「標準」サイズの試料によって生成される値に相当するように意図されている。従って、ガーレイ剛性試験器からの読取値は、標準サイズの試料の剛性に適切に変換され、ミリグラム力（ｍｇｆ）という形で伝統的に記録される。現在は、標準「ガーレイ単位」は、１ｍｇｆの剛性値に等しく、ガーレイ剛性を記録するのに同等に用いることができる。
【００５９】
本発明の種々の態様及び構成においては、ループ材料は、不織、織又は編み布によって形成することができる。例えば、好適なループ材料布は、ノースカローライナ州グリーンズボロのギルフォード・ミルズ社から商品名＃３４２８５で入手可能な種類の２バー縦編布、並びに他の種類の編み布から構成することができる。好適なループ材料はまた、ＳＣＯＴＣＨＭＡＴＥの商標の下でナイロン織成ループを販売している３Ｍ社からも入手可能である。３Ｍ社はまた、ウェブの裏面に接着剤を備えたライナーのないループウェブ及び３Ｍの編みループテープも販売している。
【００６０】
ループ材料はまた、複数の個別の結合されていない領域を定める連続する結合された領域を有する不織布を含むことができる。布の個別の結合されていない領域内の繊維又はフィラメントは、各々の結合されていない領域を取り巻くすなわち取り囲む連続する結合された領域により寸法安定性にされるため、フィルム又は接着剤の支持層又は裏当て層を必要としない。結合されていない領域は、特定的には、結合されていない領域内の繊維又はフィラメント間に空間が置かれるように設計されており、相補的なフック材料のフック要素を受け取り係合するのに十分なだけ空間があるか又は大きくされている。特に、パターン−アンボンデッド不織布又はウェブは、単一成分又は複数成分のメルトスパンフィラメントから形成されるスパンボンドの不織ウェブを含むことができる。不織布の少なくとも１つの表面は、連続する結合された領域によって取り囲まれるか又は取り巻かれる複数の個別の結合されていない領域を含むことができる。連続する結合された領域は、結合されていない領域内の繊維又はフィラメントをほぼ結合又は溶融せずに、該結合されていない領域の外側の結合領域の中に延びる繊維又はフィラメントの部分を互いに結合又は溶融することにより、不織ウェブを形成する繊維又はフィラメントの寸法を安定させる。結合する領域内の結合又は融合の程度は、結合領域内の結合又は溶融の程度は、不織ウェブを非繊維状にするのに十分であり、結合されていない領域内の繊維又はフィラメントに、フック部を受け取り、係合するための「ループ」としての働きをさせることが望ましい。好適な点−アンボンデッド布の例は、１９９６年１２月１７日に出願されたＴ．Ｊ．ストークス他による「パターン−アンボンデッド不織ウェブ及びそれを製造する方法」という名称の米国特許出願第７５４，４１９号（代理人整理番号１２，２３２）に記載されており、この開示全体が、本明細書と一致するように引用により本明細書に組み入れられている。
【００６１】
本発明の種々の構成においては、ループ材料は、物品の外向き表面上の個別パッチすなわち分離パッチに限定される必要はない。代わりに、ループ材料は、組み立て、一体化、又は他の方法で接合され、望ましい物品の所定の表面領域にわたって延びる実質的に連続的な外側繊維層により形成することができる。例えば、外側繊維層は、物品に使用されている布状外側カバーの露出表面領域のほぼ全体にわたって延びるように配置することができる。
【００６２】
本発明の種々の構成において、選択された第１ファスナ部品とその指定された協働するファスナ部品との間の係合力は、使用中に物品を着用者に対して適切に固定するのに十分なだけ大きく、耐久性がなければならない。特定の構成において、特に十分に高レベルの係合剪断力が締結システムによりもたらされる場合には、締結係合の剥離力値は、第１ファスナ部品と協働するファスナ部品との間の係合の「幅」１インチ当たり最小値が約約４０グラム力（ｇｍｆ）とすることができる。さらに別の構成においては、締結係合の剥離力値を、約１００ｇｍｆ／インチ又はそれ以上にして、利点を向上することができる。所望の構成においては、締結係合の剥離力値は、第１ファスナ部品と協働するファスナ部品との間の係合「幅」１インチ当たり約２００ｇｍｆ又はそれ以上とすることができる。或いは、剥離力は、約３００ｇｍｆ／インチ又はそれ以上、任意に、約４００ｇｍｆ／インチ又はそれ以上とすることにより、さらに利点を向上する。他の様態では、剥離力は、約１２００ｇｍｆ／インチより高くないようにされる。或いは、剥離力を、約８００ｇｍｆ／インチより高くないように、任意に約６００ｇｍｆ／インチより高くないようにすることにより性能を向上する。
【００６３】
選択された第１ファスナ部品とその指定された協働するファスナ部品との間の係合力は、付加的に、剪断力値が、第１ファスナ部品と協働するファスナ部品との間の係合面積１平方インチ当たり約４００ｇｍｆ又はそれ以上とすることができる。或いは、剪断力は、約１，０００ｇｍｆ／ｉｎ2又はそれ以上、任意に、約１，７００ｇｍｆ／ｉｎ2又はそれ以上とされる。さらに別の態様においては、剪断力は、最高約４，４００ｇｍｆ／ｉｎ2又それ以上までとすることができる。或いは、剪断力は、約３，９００ｇｍｆ／ｉｎ2より高くないように、任意に、その代わりに、剪断力は、約３，９００ｇｍｆ／ｉｎ2より高くないように、任意に、約３，５００ｇｍｆ／ｉｎ2より高くないようにして性能を改良する。
【００６４】
剥離力値は、１９９１年９月１５日に承認され、１９９１年１１月に出版された標準手順書ＡＳＴＭ  Ｄ５１７０に従って測定することができ、これには、以下の事項が記載されている。試験試料は、評価される物品のファスナ・タブとする。試験試料の長さは、ファスナが使用されている物品を通常使用する際に、ファスナを外して取り除く剥離力が典型的に加えられる方向に沿って位置合わせされた寸法とされる。この試料の「幅」は、ファスナの全体の平面内にあり、該試料の長さに対して垂直である。ローラ装置は、重さ４．５ポンドで、ローラの周囲にゴム引きされている。好適なローラは、米国オハイオ州メンターのＣｈｅｍｓｕｌｔａｎｔｓ Ｉｎｔｅｒｎａｔｉｏｎａｌ社から入手可能な部品番号ＨＲ-１００である。ファスナ部品が係合している間に、ローラが、試験試料の上を試料の横の「幅」方向に１回転する。さらに、「ループの持ち上げ」を行うための手による初期剥離は省略する。試験中、静止クランプにより保持されるファスナ材料は、移動クランプ内に保持されるファスナ材料に比較して、面積を大きくすることができる。引張試験器のクランプ間の初期分離距離は４インチであり、引張試験器の伸長速度は２０インチ／分である。剥離試験結果を記載した値は、ＭＴＳ  ＴＥＳＴＷＯＲＫＳソフトウェアを用いたピーク基準が２％の「スリーピーク平均」値である。また、剥離力値は、試験試料のファスナ部品の「幅」寸法の単位長さ当りの力、例えばグラム／インチで表示して正規化する。ＭＴＳ  ＴＥＳＴＷＯＲＫＳソフトウェアは、ミネソタ州イーデンプレーリーに事務所があるＭＴＳシステムズ社から入手可能である。
【００６５】
剪断力値は、１９９１年９月１５日に承認され、１９９１年１１月に出版された標準手順書ＡＳＴＭ  Ｄ５１６９に従って測定することができ、これには、以下の事項が記載されている。試験試料は、評価される物品のファスナ・タブで構成される。試験試料の長さ及び幅は、典型的には、剥離力値試験を行うのに用いられる長さ及び幅に対応する。通常、試験試料長さは、ファスナが使用されている物品を通常使用する際に、典型的に、剪断力がファスナに加えられる方向に沿って位置合わせされた寸法である。試料の「幅」は、ファスナの全体の平面内にあり、該試料の長さと垂直である。ローラ装置は、４．５ポンドの重さであり、ローラの周囲にゴム引きされている。好適なローラは、オハイオ州メンターのケムサルタンツ・インターナショナル社から入手可能な部品番号ＨＲ−１００である。ファスナが係合している間に、ローラが、試験試料の上を試料の横の「幅」方向に５回転する。また、「ループの持ち上げ」を行うための、手による初期剥離は省略する。試験中、静止クランプにより保持されるファスナ材料（例えばループ材料）は、移動クランプに保持されているファスナ材料（例えばフック材料）に比較して面積を大きくすることができる。引張り試験器のクランプ間の初期分離距離は４インチであり、引張り試験器の伸長速度は１０インチ／分である。剪断力値は、試験試料の単位面積当りの力、例えばグラム／インチ2で表示して正規化する。
【００６６】
標準試験手順書の記載事項は、消費者が使用する状態をより代表的に表わすことができる締結状態を作り出すことを意図する。代表的に示される本発明の構造での協働する剥離力値及び／又は剪断力値を求めるために、試験試料材料（例えばフック及びループ材料）を準備する場合、選択された試料材料の幅寸法は、実際の物品では、物品の縦方向２６に沿って位置合わせされているファスナ材料の寸法に一致することになることに留意されたい。同様に、選択された試料材料の長さ寸法は、実際の物品においては、該物品の横方向２４に沿って位置合わせされているファスナ材料の寸法に一致することになる。
【００６７】
望ましくは、第１ファスナ部品と協働するファスナ部品との間の締結係合は、引張力が、物品の裏面シート層の平面とほぼ平行に位置合わせされて、横方向に沿って外方向にかけられるとき、ファスナ部品が、少なくとも約１，０００グラムの引張力に曝されても、部品が外れないようにするのに、十分である必要がある。
【００６８】
第１ファスナ部品と下着の布との間の係合に関しては、剥離強度値及び剪断力値は、一般に、該第１ファスナ部品と協働するファスナ部品との間で測定された値より低いと一般に考えられている。第１ファスナ部品と下着の布との間の係合が、該第１ファスナ部品と協働するファスナ部品との間で測定された値より大きくなることも考慮されているが、この係合は、該第１ファスナ部品と該協働するファスナ部品との間の係合の（１より小さい）割合又は比になるものと一般に考えられている。例えば、第１ファスナ部品と布との間の係合は、該第１ファスナ部品と協働するファスナ部品との間の係合より１０パーセントより多く低くなることがある。別の例としては、係合は２０パーセントより多くから約９９パーセントより多くまで低くなることがある。さらに別の例としては、係合は５０パーセントより多く低くなることがある。さらに別の例としては、係合は７４パーセントより多く低くなることがある。
【００６９】
本発明の種々の構成におけるファスナ部品及び締結要素の各々は、本発明の物品の種々の他の部品を互いに構築し保持するのに用いられる取り付け機構のいずれか１つ又はそれ以上を用いることにより、その支持基板に作動可能に取り付けることができる。種々の締結領域内の締結要素は、例えば、成形、共押出又はそれに類するものによって、それらと関連付けられる基板層と一体的に形成することができる。基板層及びその関連する機械的な締結要素は、実質的に同じポリマー材料から形成することができ、締結要素を最初は個々の基板層に取り付ける個別の段階を必要としない。例えば、個々のフック要素は、実質的に同じポリマー材料からベース層とフック要素とを共押出することにより、フックベース層と同時に、一体的に形成することができる。
【００７０】
取り付け又は基板層と取り付けられる締結構成要素との他の相互連結の強さは、ファスナ・タブ３６を、物品の指定されたランディング部材に対する取り外し可能な固定部から除去するのに必要とされる最大の力よりも大きくする必要があることは、容易に理解されると思われる。
【００７１】
（実施例１）
以下の実施例は、本発明をより詳細に理解するために示すものであり、本発明の範囲を具体的に限定することを意図するものではない。
【００７２】
剥離試験は、全体としてＡＳＴＭ  Ｄ−５１７０−９１に従って行われ、剪断試験は、全体としてＡＳＴＭ  Ｄ−５１６９−９１に従って行われた。各々の試験は、２．０ｏｓｙのＰＲＥＳＴＯ  ＰＵＢループ材料（米国特許出願第７５４，４１９号を参照）上に手で取り付けたＶＥＬＣＲＯから入手可能な１０平方ｍｍのＨＴＨ−８５１フック材料を利用した。フック材料は、フックの方向に対してＭＤかＣＤのいずれかに方位付けられた。パッドは、７２ストライド／分で３０分間機械歩行モデルによって着用された。
【００７３】
（装置）
・引張試験器−ＭＴＳ  ＴｅｓｔＷｏｒｋｓソフトウェアをもった定速伸張の引張試験器・歩行モデル（サイズ５の胴）
・織機の産物、女性の下着（サイズ５）
【００７４】
（試料準備）
・標準剥離及び剪断試験について
−ウイングが、接着接合部の線に沿って製品から切り取られて除去される。
−次に、ウイングは、堅実にウイングを係合するように機械ローラを用いて係合され、機械ローラは２Ｋｇの重さを有するケミンストルメント社から入手可能なものである。
−ここで、試料が、剥離又は剪断試験のために準備完了となる。
・剥離又は剪断についての着用後の試験について
−下着が歩行モデルに配置される。
−パッドが下着内に配置される。前ローブの縁部は、常に股シームの前１ｃｍにある。
−次に、ウイングが係合され、下着がモデル上に付けられる。
−モデルは、１分当たり７２ストライドで３０分間歩行するように設定される。
−下着がモデルから切り取られ、フック係合部に影響を与えないように注意深く除去される。
−ウイングが接着接合部に沿って切り取ることによって製品及びパンティから除去される。
−試料が、剥離及び剪断試験のために準備完了となる。
【００７５】
（剥離試験）
・フィンガータブ（フックを越えたウイングの端部面積）が上方挟持部内に配置され、他方のウイングの切り取られた縁部は、下方挟持部内に配置される。過度のたるみを残さないように、又はフックをループ係合部から引っ張らないように注意されたい。
・試験は以下のパラメータで実行される。
−クロスヘッド速度−２０インチ／分
−ゲージ長さ−３インチ
−荷重単位−グラム
−起動値−０．４インチ
−終了値−０．９インチ
−破断感度−１１０％
−たるみ補償−５０グラム
・反応は、剥離試験の長さにわたる平均化されたグラム力である。
【００７６】
（剪断試験）
・一方のウイングの切り取られた縁部が、上方挟持部内に配置され、対向するウイングの切り取られた縁部が、下方挟持部内に配置される。過度のたるみを残さないように、又はフックをループ係合から引っ張らないように注意されたい。
・試験が以下のパラメータで実行される。
−クロスヘッド速度−２０インチ／分
−ゲージ長さ−３インチ
−荷重単位−グラム
−起動値−０．４インチ
−終了値−０．９インチ
−破断感度−１１０％
−たるみ補償−５０グラム
・反応は、剥離試験の長さにわたる平均化されたグラム力である。
試験結果は、表１に提示される。
表１
2004538092.tif 000003
【００７７】
データは、表２に要約される。剪断値及び剥離値の両方について、最低で最も弱い初期ＭＤ及びＣＤの剥離及び剪断強度値を有する方位（すなわち、「非論理的」方位）が、使用中に強く係合した。対照的に、最大の又は最も強い初期ＭＤ及びＣＤの剥離及び剪断強度値を有する方位（すなわち、「論理的」方位）が、着用中にある程度強くなるか又は強度が下がるかのいずれかとなる。さらに、剪断値及び剥離値の両方について、着用後の絶対値は、「論理的」方位よりも「非論理的」方位の場合の方が高い。
表２
2004538092.tif 000004
【００７８】
この現象は、下着の布に係合する第１ファスナ部品又は「フック部品」についても起こると考えられる。
【００７９】
これらの実施例は、例えば生理用ナプキンといった吸収性物品が、選択的に取り外し可能な相互係合ファスナを含み、生理用ナプキンを下着に保持するようにされた１対のウイングを含む取り付けシステムを有する、本発明の実施形態を示している。このウイングは、使用中に、係合が向上されるようにされる。さらに、この取り付けシステムは、下着の布を係合するようにされた複数の係合部材を含むファスナ部品を含む。このファスナ部品はさらに、使用中に下着の布と係合し及び／又は係合を向上させるようにすることができる。
【００８０】
本発明をかなり完全に詳細に説明してきたが、本発明の精神を逸脱することなく種々の変更及び修正を行うことができることが容易に明らかであろう。
【図面の簡単な説明】
【００８１】
【図１Ａ】本発明の例示的な締結システムを組み入れる例示的な物品を図示するものである。
【図１Ｂ】本発明の例示的な締結システムを組み入れる例示的な物品を図示するものである。
【図１Ｃ】下着と併せて用いられる本発明の例示的な締結システムを組み込む例示的な物品を図示するものである。
【図１Ｄ】物品の裏面シートが上方を向いている状態の本発明の例示的な締結システムを組み込む例示的な物品を図示するものである。
【図１Ｅ】物品の裏面シートが上方を向いている状態の本発明の例示的な締結システムを組み込む例示的な物品の一部を図示するものである。
【図１Ｆ】本発明の例示的な複合締結システムの図示するものである。
【図２Ａ】本発明に使用できる例示的な異方性係合部材を図示するものである。
【図２Ｂ】本発明に使用できる例示的な異方性係合部材を図示するものである。
【図２Ｂ−１】図２Ｂの係合部材の平面図を代表的に示すものである（図２Ｂ’）。
【図２Ｃ】本発明に使用できる例示的な異方性係合部材を図示するものである。
【図２Ｃ−１】図２Ｃの係合部材の平面図を代表的に示すものである（図２Ｃ’）。
【図２Ｄ】本発明に使用できる例示的な異方性係合部材を図示するものである。
【図２Ｅ】本発明に使用できる例示的な異方性係合部材を図示するものである。
【図３Ａ】表１におけるデータのグラフ図である。
【図３Ｂ】表１におけるデータのグラフ図である。
【図４Ａ】表１におけるデータのグラフ図である。
【図４Ｂ】表１におけるデータのグラフ図である。
【図５Ａ】本発明に使用できる例示的な異方性係合部材の顕微鏡写真である。
【図５Ｂ】本発明に使用できる例示的な異方性係合部材の顕微鏡写真である。
【図６】本発明に使用できる例示的な協働するファスナ部材（例えばループ材料）の顕微鏡写真である。
【図７】本発明に使用できる例示的な協働するファスナ部材（例えばループ材料）の顕微鏡写真である。
【図３Ａ】
2004538092.tif 000005
【図３Ｂ】
2004538092.tif 000006
【図４Ａ】
2004538092.tif 000007
【図４Ｂ】
2004538092.tif 000008
【図６】
2004538092.tif 000009
【図７】
2004538092.tif 000010
【国際公開パンフレット】
2004538092.tif 000011
2004538092.tif 000012
2004538092.tif 000013
2004538092.tif 000014
2004538092.tif 000015
2004538092.tif 000016
2004538092.tif 000017
2004538092.tif 000018
2004538092.tif 000019
2004538092.tif 000020
2004538092.tif 000021
2004538092.tif 000022
2004538092.tif 000023
2004538092.tif 000024
2004538092.tif 000025
2004538092.tif 000026
2004538092.tif 000027
2004538092.tif 000028
2004538092.tif 000029
2004538092.tif 000030
2004538092.tif 000031
2004538092.tif 000032
2004538092.tif 000033
2004538092.tif 000034
2004538092.tif 000035
2004538092.tif 000036
2004538092.tif 000037
2004538092.tif 000038
2004538092.tif 000039
2004538092.tif 000040
2004538092.tif 000041
2004538092.tif 000042
2004538092.tif 000043
2004538092.tif 000044
2004538092.tif 000045
2004538092.tif 000046
2004538092.tif 000047
2004538092.tif 000048
2004538092.tif 000049
2004538092.tif 000050
2004538092.tif 000051
2004538092.tif 000052
2004538092.tif 000053
2004538092.tif 000054
【国際調査報告】
2004538092.tif 000055
2004538092.tif 000056
2004538092.tif 000057
2004538092.tif 000058